(57)【要約】【課題】この発明は、頭を載せたとき、その外形に沿ってスムーズに移動して対応外面を変形凹陥し、その連接面全体で頭を安定して支える均圧ビーズ枕の提供にある。【解決手段】横方向には、その方向に所要の引張力を受けると、５％の伸張率でほとんど伸張しなく、しかも、その引張力がなくなると、元の状態に戻り、また、前記横方向と齟齬する縦方向には、その縦方向に所要の引張力を受けると、５０％の伸張率で大きく伸張し、そして、その引張力がなくなると、元の状態に戻る弾力性を有するように編成してなる生地を用い、この生地を縦長方形布に裁断し、その周縁を所要幅内側に折返し、その折返し面を互いに対面するように二つ折りし、一部に開口を残して折返し面に縫い糸により縫着して袋体を構成し、この袋体に直径が３ｍｍの合成樹脂製の大径ビーズと、直径が１ｍｍの合成樹脂製の小径ビーズとを所要の割合で充填し、その開口を閉じ縫い糸により閉じてなる均圧ビーズ枕。【選択図】　　　　図１
2004073585.tif 000002
【特許請求の範囲】
【請求項１】
袋体に大径ビーズと小径ビーズを所要の割合で充填してなる均圧ビーズ枕。
【請求項２】
袋体は、横方向と縦方向の互いに齟齬する方向において、一方向には引張力を受けても数％の伸張率でほとんど伸張しなく、しかも、その引張力がなくなると、元の状態に戻り、また、他方向には所要の引張力を受けると、数十％の伸張率で大きく伸張し、その引張力がなくなると、元の状態に戻る弾力性を有するように編成してなる生地を用いてなる請求項１の均圧ビーズ枕。
【請求項３】
大径ビーズは直径が１．５ｍｍ〜５ｍｍ、小径ビーズは直径が０．５ｍｍ〜２ｍｍで構成されてなる請求項１または請求項２の均圧ビーズ枕。
【発明の詳細な説明】
【０００１】
【発明が属する技術分野】
この発明は、頭を載せたとき、その外形に沿ってスムーズに移動して対応外面を変形凹陥し、その連接面全体で頭を安定して支える均圧ビーズ枕に関するものである。
【０００２】
【従来の技術】
従来、ビーズを内臓するビーズ枕は数多く提案されている。本特許出願人においても、特願平１１−１１３７０７号、特願２０００−３００４１０号を提案している。これらの枕の表布は、一般の平織り生地が使用され、ほとんど伸張しないから、頭部に対応する部分を環状に縫製してビーズの移動を全く無い凹陥支承面にするか、所定箇所の縫製を部分的に中断して小さなゲートを作り、このゲートからビーズを出入して移動できるようにし、凹陥支承面のビーズ量を調整できるようにしたものも提案されている。
【０００３】
【発明が解決しようとする課題】
この発明は、頭を載せたとき、その外形に沿ってビーズの擦れ音を発生することなくスムーズに移動して対応外面を変形凹陥し、耳のように一部が外形より突出することがあってもその耳の部分に反発力が集中することがなく、その連接面全体で頭を安定して支える均圧ビーズ枕を提供することを目的になされたものである。
【０００４】
【課題を解決するための手段】
袋体に大径ビーズと小径ビーズを所要の割合で充填してなる均圧ビーズ枕にある。
【０００５】
袋体は、横方向と縦方向の互いに齟齬する方向において、一方向には引張力を受けても数％の伸張率でほとんど伸張しなく、しかも、その引張力がなくなると、元の状態に戻り、また、他方向には所要の引張力を受けると、数十％の伸張率で大きく伸張し、その引張力がなくなると、元の状態に戻る弾力性を有するように編成してなる生地を用いてもよいものである。
【０００６】
大径ビーズは直径が１．５ｍｍ〜５ｍｍ、小径ビーズは直径が０．５ｍｍ〜２ｍｍで構成されてなるものを用いてもよいものである。
【０００７】
【発明の実施の形態】
横方向には、その方向に所要の引張力を受けると、５％の伸張率でほとんど伸張しなく、しかも、その引張力がなくなると、元の状態に戻り、また、前記横方向と９０度齟齬する縦方向には、その縦方向に所要の引張力を受けると、５０％の伸張率で大きく伸張し、そして、その引張力がなくなると、元の状態に戻る弾力性を有するように編成してなる生地を用い、この生地を縦長方形布に裁断し、その周縁を所要幅内側に折返し、その折返し面を互いに対面するように二つ折りし、一部に開口を残して折返し面に縫い糸により縫着して袋体を構成し、この袋体に直径が３ｍｍの合成樹脂製の大径ビーズと、直径が１ｍｍの合成樹脂製の小径ビーズとを所要の割合で充填し、その開口を縫い糸により閉じてなる均圧ビーズ枕。
【０００８】
【実施例】
この発明の均圧ビーズ枕を実施例として図面に示す均圧ビーズ枕１により説明すると、この実施例の均圧ビーズ枕１は、図１に示すような外観をなし、図２に示すような断面の袋体２に大径ビーズ３と小径ビーズ４を所要の割合で充填して構成するものである。
【０００９】
前記袋体２は、図３に示すように、Ｘ−Ｘの横方向には、その方向に所要の引張力を受けると、例えば数％の伸張率でほとんど伸張しなく、しかも、その引張力がなくなると、元の状態に戻り、また、前記Ｘ−Ｘの横方向と、例えば、９０度齟齬するＹ−Ｙの縦方向には、その縦方向に所要の引張力を受けると、例えば、数十％の伸張率で大きく伸張し、そして、その引張力がなくなると、元の状態に戻る弾力性を有するように編成してなる生地が用いられ、この生地を図３に示すように、縦長方形布５に裁断し、その周縁を所要幅内側に折返し、その折返し面５ａを互いに対面するように二つ折りし、一部に開口６を残して折返し面に縫い糸７により縫着し、もって袋体２を構成するものである。
【００１０】
前記大径ビーズ３は、実施例のものは、直径が３ｍｍの合成樹脂製のビーズであり、また小径ビーズ４は、実施例のものは、直径が１ｍｍの合成樹脂製のビーズである。そして、上記寸法は一例を示すもので、夫々に幅があり、それらより大きくても、また小さくてもよいものであり、それらに限定するものではない。
【００１１】
前記袋体２の開口６から前記大径ビーズ３と小径ビーズ４を所要の割合で充填した後、その開口６を縫い糸７により閉じ８を設けてなるものである。
【００１２】
この発明の均圧ビーズ枕１は、前述のように構成され、内部には、大径ビーズ３と小径ビーズ４が所要の割合で充填されているから、大径ビーズ３間に小径ビーズ４が介在して転回し、相互の移動摩擦抵抗が少なく、スムーズに、しかも、相互の擦れ音を発することなく移動するものである。また、袋体２は、縦方向にのみ、引張力を受けて大幅に伸張するので、耳のように外面から突出する形状であっても、その突出部に沿って変形凹陥し、隣接部分が影響を受けて変形することがなく、したがって、その突出部に反発力を集中させることがなく、そのうえ、袋体の生地は、横方向に伸張しないので、支承面が横に移動し枕が動くることがなく、定位置で頭を安定して均圧に支えることができるのである。
【００１３】
この発明の均圧ビーズ枕１は、前述のように、内部には大径ビーズ３と小径ビーズ４が所要の割合で充填されているから、それらの間に隙間が構成されて、通気性が良く、枕内部に湿気がこもることがなく、また、羽枕と同等の軽いタッチで支えるものである。
【００１４】
【発明の効果】
この発明の均圧ビーズ枕は、頭を載せたとき、その外形に沿って変形するビーズの擦れ音を発生することなくスムーズ移動して対応外面を変形凹陥し、その一部が外形より突出することがあってもその部分に反発力が集中することがなく、また、湿気を内部に溜めることがなく、連接面全体で頭を安定して均圧に支えることができる。
【００１５】
よって、この発明の均圧ビーズ枕は、支承機能、メンテナンスを飛躍的に高めるものである。
【図面の簡単な説明】
【図１】この発明の均圧ビーズ枕の実施例を示す外観斜視図で、袋体に大径ビーズと小径ビーズを収容して構成してなる。
【図２】同じく、その横断面図で、仮線は圧力付加状態を示すものである。
【図３】同じく、この発明の均圧ビーズ枕の実施例を構成する袋体の裁断例を示す平面図である。
【図４】同じく、袋体の裁断例の縦長方形布の周縁を内側に所要幅折り曲げた後、二つ折りし、その二つ折り周縁を縫着した袋体の平面図である。
【図５】袋体内に収容する大径ビーズと小径ビーズの実施例を示す外観図である。
【符号の説明】
１　均圧ビーズ枕
２　袋体
３　大径ビーズ
４　小径ビーズ
５　縦長方形布
５ａ　折返し面
６　開口
７　縫い糸
８　閉じ
【図１】
2004073585.tif 000003
【図２】
2004073585.tif 000004
【図３】
2004073585.tif 000005
【図４】
2004073585.tif 000006
【図５】
2004073585.tif 000007